(57)【特許請求の範囲】
【請求項１】
ワイヤレス通信の方法であって、
送信機が、同じ周波数上で２つまたはそれ以上の無線アクセスネットワーク（ＲＡＮ）によって共有される複数の送信スロットのための送信フレームの複数の送信スロット割当ての現在の順列を決定することと、
前記送信機が、前記送信機に関連するインデックスに従って前記現在の順列において前記複数の送信スロット割当てのうちの割り当てられた送信スロットを選択することと、
前記送信機が、前記割り当てられた送信スロット上で送信を開始することと
を備え、ここにおいて、送信を開始することは、
前記割り当てられた送信スロット上でクリアチャネルアセスメント（ＣＣＡ）を実行することと、ここにおいて、前記同じ周波数が無認可周波数である、
前記ＣＣＡがクリアとして前記送信機によって検出されたことに応答して、チャネル使用ビーコン信号（ＣＵＢＳ）を送信することとを含む、
ワイヤレス通信の方法。
【請求項２】
前記現在の順列を前記決定することは、
前記送信機が、複数の順列のシーケンスを決定することと、ここにおいて、前記複数の順列が前記複数の送信スロットの一意の割当て組合せに基づき、ここにおいて、前記複数の順列の前記シーケンスが、
ランダムまたは擬似ランダムのいずれかで決定される、
前記送信機が、前記複数の順列の前記シーケンスから前記送信フレームのための前記現在の順列を選択することと
を含む、請求項１に記載の方法。
【請求項３】
次の送信フレームのための次の順列を決定することと、ここにおいて、前記次の順列が前記複数の順列の前記シーケンスから選択される、
前記送信機に関連する前記インデックスに従って前記次の順列において前記複数の送信スロット割当てのうちの次の割り当てられた送信スロットを選択することと、
前記次の割り当てられた送信スロット上で追加の送信を開始することと
をさらに含む、請求項２に記載の方法。
【請求項４】
前記複数の順列の前記シーケンスがホッピング関数を含み、ここにおいて、前記ホッピング関数は、前記シーケンス中の１つまたは複数の順列と、その後に続く、１つまたは複数の対応する後続の順列が前記１つまたは複数の順列に対する時間反転された複数の送信スロット割当てを含む前記１つまたは複数の対応する後続の順列とを与える、請求項２に記載の方法。
【請求項５】
前記ホッピング関数は、
前記１つまたは複数の順列のうちの第１の順列と、前記第１の順列に隣接して続き、前記第１の順列に対応する前記１つまたは複数の対応する後続の順列のうちの第１の時間反転された順列と、前記第１の時間反転された順列に隣接して続く、前記１つまたは複数の順列のうちの次の順列と、前記次の順列に隣接して続き、前記次の順列に対応する前記１つまたは複数の対応する後続の順列のうちの次の時間反転された順列と、
を含むように前記シーケンスを与える、請求項４に記載の方法。
【請求項６】
前記ホッピング関数は、
前記１つまたは複数の順列のうちの複数の隣接する第１の順列と、前記複数の隣接する第１の順列のうちの最後に隣接して続き、前記第１の順列に対応する前記１つまたは複数の対応する後続の順列のうちの複数の隣接する時間反転された順列と、を含むように前記シーケンスを与え、ここにおいて、前記シーケンスは、前記複数の隣接する第１の順列と、前記第１の順列に隣接して続く前記複数の隣接する時間反転された順列とで繰り返す、
請求項４に記載の方法。
【請求項７】
前記ホッピング関数は、
前記１つまたは複数の順列のうちの第１の順列の複数の隣接するペアと、前記複数の隣接するペアのうちの最後に隣接して続き、前記１つまたは複数の順列のうちの次の順列の次の複数の隣接するペアと、を含むように前記シーケンスを与え、ここにおいて、前記複数の隣接するペアおよび前記次の複数の隣接するペアの各々は、前記１つまたは複数の順列のうちの１つの順列と、この１つの順列に隣接する１つの時間反転された順列により構成され、前記シーケンスは、前記複数の隣接するペアと、隣接してその後に続く前記次の複数の隣接するペアとで繰り返す、
請求項４に記載の方法。
【請求項８】
前記現在の順列を前記決定することは、
前記送信機が、前記複数の送信スロットの一意の割当て組合せに基づいて第１の順列を決定することと、
複数の順列のシーケンスを生成することと、ここにおいて、前記複数の順列が前記第１の順列と１つまたは複数の追加の順列とを含み、ここにおいて、前記１つまたは複数の追加の順列の各々が前記複数の順列中の前の順列から同じ量だけサイクリックシフトされる、
前記送信機が、前記複数の順列の前記シーケンスから前記送信フレームのための前記現在の順列を選択することと
を含む、請求項１に記載の方法。
【請求項９】
前記送信機が、前記割り当てられた送信スロット上の失敗した送信の数を検出することと、
失敗した送信の前記数が所定のしきい値を超えることに応答して、前記送信機が、予約済み送信スロットを再選択することと、ここにおいて、前記予約済み送信スロットが前記共有される複数の送信スロットとは別個である、
をさらに備える、請求項１に記載の方法。
【請求項１０】
前記送信機が、依然として前記失敗した送信を経験し続ける場合、前記送信機が、順列の新しいシーケンスを決定する能力を与える新しいグループＩＤを再選択すること、
をさらに含む、請求項９に記載の方法。
【請求項１１】
プログラムコードを記録したコンピュータ可読媒体であって、前記プログラムコードは、コンピュータに、請求項１から１０のうちのいずれかに記載の方法を実行させる、コンピュータ可読媒体。
【請求項１２】
送信機が、同じ周波数上で２つまたはそれ以上の無線アクセスネットワーク（ＲＡＮ）によって共有される複数の送信スロットのための送信フレームの複数の送信スロット割当ての現在の順列を決定するための手段と、
前記送信機が、前記送信機に関連するインデックスに従って前記現在の順列において前記複数の送信スロット割当てのうちの割り当てられた送信スロットを選択するための手段と、
前記送信機が、前記割り当てられた送信スロット上で送信を開始するための手段と
を備え、ここにおいて、開始するための前記手段は、
前記割り当てられた送信スロット上でクリアチャネルアセスメント（ＣＣＡ）を実行するための手段と、ここにおいて、前記同じ周波数が無認可周波数である、
前記ＣＣＡがクリアとして前記送信機によって検出されたことに応答して、チャネル使用ビーコン信号（ＣＵＢＳ）を送信するための手段とを含む、
ワイヤレス通信のために構成された装置。
【請求項１３】
前記送信機に関連するグループＩＤに基づいて、順列の特定のシーケンスを決定するための手段をさらに備える、請求項１２に記載の装置。
【請求項１４】
前記現在の順列を決定するための前記手段は、
前記送信機が、前記複数の送信スロットの一意の割当て組合せに基づいて第１の順列を決定するための手段と、
複数の順列のシーケンスを生成するための手段と、ここにおいて、前記複数の順列が前記第１の順列と１つまたは複数の追加の順列とを含み、ここにおいて、前記１つまたは複数の追加の順列の各々が前記複数の順列中の前の順列から同じ量だけサイクリックシフトされる、
前記送信機が、前記複数の順列の前記シーケンスから前記送信フレームのための前記現在の順列を選択するための手段と
を含む、請求項１２に記載の装置。
【発明の詳細な説明】
【技術分野】
【０００１】
関連出願の相互参照
[0001]本出願は、その全体が参照により本明細書に明確に組み込まれる、２０１３年１０月２１日に出願された「SHARING CHANNEL ACCESS ACROSS MULTIPLE RADIO ACCESS NETWORKS」と題する米国仮特許出願第６１／８９３，７６９号、および２０１４年１０月２０日に出願された「SHARING CHANNEL ACCESS ACROSS MULTIPLE RADIO ACCESS NETWORKS」と題する米国実用特許出願第１４／５１８，７１５号の利益を主張する。
【０００２】
[0002]本開示の態様は、一般にワイヤレス通信システムに関し、より詳細には、複数の無線アクセスネットワーク（ＲＡＮ：radio access network）にわたってチャネルアクセスを共有することに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続（multiple-access）ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、より多くのＵＥが長距離ワイヤレス通信ネットワークにアクセスし、より多くの短距離ワイヤレスシステムがコミュニティにおいて展開されて、干渉および輻輳ネットワークの可能性が増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]本開示の一態様では、ワイヤレス通信の方法は、送信機が、同じ周波数上で２つまたはそれ以上の無線アクセスネットワーク（ＲＡＮ）によって共有される複数の送信スロットのための送信フレームの複数の送信スロット割当ての現在の順列（permutation）を決定することと、送信機が、送信機に関連するインデックスに従って現在の順列において複数の送信スロット割当てのうちの割り当てられた送信スロットを選択することと、送信機が、割り当てられた送信スロット上で送信を開始することとを含む。
【０００８】
[0008]本開示の追加の態様では、ワイヤレス通信の方法は、送信機が、同じ周波数上で２つまたはそれ以上のＲＡＮによって共有される複数の共通送信スロットのための送信フレームの複数の送信スロット割当ての現在の順列を決定することと、送信機が、送信機に関連するインデックスに従って現在の順列において複数の送信スロット割当てのうちの割り当てられた送信スロットを選択することと、送信機が、割り当てられた送信スロット上の失敗した送信の数を検出することと、失敗した送信の数が所定のしきい値を超えたことに応答して、送信機が、予約済み送信スロットを再選択することと、ここにおいて、予約済み送信スロットが複数の共通送信スロットとは別個である、を含む。
【０００９】
[0009]本開示の追加の態様では、ワイヤレス通信のために構成された装置は、送信機が、同じ周波数上で２つまたはそれ以上のＲＡＮによって共有される複数の送信スロットのための送信フレームの複数の送信スロット割当ての現在の順列を決定するための手段と、送信機が、送信機に関連するインデックスに従って現在の順列において複数の送信スロット割当てのうちの割り当てられた送信スロットを選択するための手段と、送信機が、割り当てられた送信スロット上で送信を開始するための手段とを含む。
【００１０】
[0010]本開示の追加の態様では、ワイヤレス通信のために構成された装置は、送信機が、同じ周波数上で２つまたはそれ以上のＲＡＮによって共有される複数の共通送信スロットのための送信フレームの複数の送信スロット割当ての現在の順列を決定するための手段と、送信機が、送信機に関連するインデックスに従って現在の順列において複数の送信スロット割当てのうちの割り当てられた送信スロットを選択するための手段と、送信機が、割り当てられた送信スロット上の失敗した送信の数を検出するための手段と、失敗した送信の数が所定のしきい値を超えたことに応答して、送信機が、予約済み送信スロットを再選択するための手段と、ここにおいて、予約済み送信スロットが複数の共通送信スロットとは別個である、を含む。
【００１１】
[0011]本開示の追加の態様では、プログラムコードを記録したコンピュータ可読媒体。このプログラムコードは、送信機が、同じ周波数上で２つまたはそれ以上の無線アクセスネットワーク（ＲＡＮ）によって共有される複数の送信スロットのための送信フレームの複数の送信スロット割当ての現在の順列を決定するためのコードと、送信機が、送信機に関連するインデックスに従って現在の順列において複数の送信スロット割当てのうちの割り当てられた送信スロットを選択するためのコードと、送信機が、割り当てられた送信スロット上で送信を開始するためのコードとを含む。
【００１２】
[0012]本開示の追加の態様では、プログラムコードを記録したコンピュータ可読媒体。このプログラムコードは、送信機が、同じ周波数上で２つまたはそれ以上のＲＡＮによって共有される複数の共通送信スロットのための送信フレームの複数の送信スロット割当ての現在の順列を決定するためのコードと、送信機が、送信機に関連するインデックスに従って現在の順列において複数の送信スロット割当てのうちの割り当てられた送信スロットを選択するためのコードと、送信機が、割り当てられた送信スロット上の失敗した送信の数を検出するためのコードと、失敗した送信の数が所定のしきい値を超えたことに応答して、送信機が、予約済み送信スロットを再選択するためのコードと、ここにおいて、予約済み送信スロットが複数の共通送信スロットとは別個である、を含む。
【００１３】
[0013]本開示の追加の態様では、装置は、少なくとも１つのプロセッサと、プロセッサに結合されたメモリとを含む。プロセッサは、送信機が、同じ周波数上で２つまたはそれ以上の無線アクセスネットワーク（ＲＡＮ）によって共有される複数の送信スロットのための送信フレームの複数の送信スロット割当ての現在の順列を決定することと、送信機が、送信機に関連するインデックスに従って現在の順列において複数の送信スロット割当てのうちの割り当てられた送信スロットを選択することと、送信機が、割り当てられた送信スロット上で送信を開始することとを行うように構成される。
【００１４】
[0014]本開示の追加の態様では、装置は、少なくとも１つのプロセッサと、プロセッサに結合されたメモリとを含む。プロセッサは、送信機が、同じ周波数上で２つまたはそれ以上のＲＡＮによって共有される複数の共通送信スロットのための送信フレームの複数の送信スロット割当ての現在の順列を決定することと、送信機が、送信機に関連するインデックスに従って現在の順列において複数の送信スロット割当てのうちの割り当てられた送信スロットを選択することと、送信機が、割り当てられた送信スロット上の失敗した送信の数を検出することと、失敗した送信の数が所定のしきい値を超えたことに応答して、送信機が、予約済み送信スロットを再選択することと、ここにおいて、予約済み送信スロットが複数の共通送信スロットとは別個である、を行うように構成される。
【図面の簡単な説明】
【００１５】
【図１】[0015]様々な実施形態による、ワイヤレス通信システムの一例を示す図。
【図２Ａ】[0016]様々な実施形態による、無認可スペクトル中でＬＴＥ（登録商標）を使用するための展開シナリオの例を示す図。
【図２Ｂ】[0017]様々な実施形態による、無認可スペクトル中でＬＴＥを使用するための展開シナリオの別の例を示す図。
【図３】[0018]様々な実施形態による、認可および無認可スペクトル中でＬＴＥをコンカレントに使用するときのキャリアアグリゲーションの一例を示す図。
【図４】[0019]本開示の一態様に従って構成された、基地局／ｅＮＢおよびＵＥの設計を概念的に示すブロック図。
【図５】[0020]建築物が、同じ送信チャネル上で２つの異なるモバイルネットワーク事業者へのアクセスを与える２つの別個のスモールセルの展開を有することを示すブロック図。
【図６】[0021]同期ＬＴＥ−Ｕ通信システムにおける送信ストリームを示すブロック図。
【図７】[0022]本開示の態様を実装するために実行される例示的なブロックを示す機能ブロック図。
【図８】本開示の態様を実装するために実行される例示的なブロックを示す機能ブロック図。
【図９】本開示の態様を実装するために実行される例示的なブロックを示す機能ブロック図。
【発明を実施するための形態】
【００１６】
[0023]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００１７】
[0024]事業者は、これまで、セルラーネットワークにおける輻輳の常に増加するレベルを軽減するために無認可スペクトルを使用するための主要な機構としてＷｉＦｉ（登録商標）を見てきた。しかしながら、無認可スペクトル中のＬＴＥ／ＬＴＥアドバンスト（ＬＴＥ−Ａ：LTE（登録商標）-Advanced）に基づくニューキャリアタイプ（ＮＣＴ：new carrier type）はキャリアグレードＷｉＦｉに適合し得るので、無認可スペクトルを用いるＬＴＥ／ＬＴＥ−ＡがＷｉＦｉの代替になる。無認可スペクトルを用いるＬＴＥ／ＬＴＥ−Ａは、ＬＴＥ概念を活用し得、無認可スペクトル中での効率的な動作を可能にすることと、規制要件を満たすこととのために、ネットワークまたはネットワークデバイスの物理レイヤ（ＰＨＹ）およびメディアアクセス制御（ＭＡＣ）態様にいくつかの変更を導入し得る。無認可スペクトルは、たとえば、６００メガヘルツ（ＭＨｚ）から６ギガヘルツ（ＧＨｚ）までにわたり得る。いくつかのシナリオでは、無認可スペクトルを用いるＬＴＥ／ＬＴＥ−ＡはＷｉＦｉよりも著しく良好に機能し得る。たとえば、全ＷｉＦｉ展開と比較して、または高密度スモールセル展開があるとき、（単一または複数の事業者のための）無認可スペクトル展開を用いる全ＬＴＥ／ＬＴＥ−Ａは、無認可スペクトルを用いるＬＴＥ／ＬＴＥ−ＡはＷｉＦｉよりも著しく良好に機能し得る。無認可スペクトルを用いるＬＴＥ／ＬＴＥ−Ａは、無認可スペクトルを用いるＬＴＥ／ＬＴＥ−Ａが（単一または複数の事業者のために）ＷｉＦｉと混合されるときなど、他のシナリオにおいてＷｉＦｉよりも良好に機能し得る。
【００１８】
[0025]単一のサービスプロバイダ（ＳＰ）の場合、無認可スペクトル上のＬＴＥ／ＬＴＥ−Ａネットワークは、認可スペクトル上のＬＴＥネットワークと同期しているように構成され得る。しかしながら、複数のＳＰによって所与のチャネル上で展開される無認可スペクトルを用いるＬＴＥ／ＬＴＥ−Ａネットワークは、複数のＳＰにわたって同期しているように構成され得る。上記の特徴の両方を組み込むための１つの手法は、所与のＳＰのために、無認可スペクトルを用いるＬＴＥ／ＬＴＥ−Ａと、無認可スペクトルを用いないＬＴＥ／ＬＴＥ−Ａとの間で一定のタイミングオフセットを使用することを伴い得る。無認可スペクトルを用いるＬＴＥ／ＬＴＥ−Ａネットワークは、ＳＰの必要に従ってユニキャストおよび／またはマルチキャストサービスを与え得る。その上、無認可スペクトルを用いるＬＴＥ／ＬＴＥ−Ａネットワークは、ＬＴＥセルが、アンカーとして働き、関連するセル情報（たとえば、無線フレームタイミング、共通チャネル構成、システムフレーム番号またはＳＦＮなど）を与える、ブートストラップモードで動作し得る。このモードでは、無認可スペクトルを用いるＬＴＥ／ＬＴＥ−Ａと、無認可スペクトルを用いないＬＴＥ／ＬＴＥ−Ａとの間に緊密な相互作用があり得る。たとえば、ブートストラップモードは、上記で説明した補足ダウンリンク（supplemental downlink）モードとキャリアアグリゲーションモードとをサポートし得る。無認可スペクトルを用いるＬＴＥ／ＬＴＥ−ＡネットワークのＰＨＹ−ＭＡＣレイヤは、無認可スペクトルを用いるＬＴＥ／ＬＴＥ−Ａネットワークが、無認可スペクトルを用いないＬＴＥ／ＬＴＥ−Ａネットワークとは無関係に動作する、スタンドアロンモードで動作し得る。この場合、たとえば、無認可スペクトルを用いるおよび用いないコロケートされたＬＴＥ／ＬＴＥ−ＡセルとのＲＬＣレベルアグリゲーション、または複数のセルおよび／または基地局にわたるマルチフローに基づいて、無認可スペクトルを用いるＬＴＥ／ＬＴＥ−Ａと、無認可スペクトルを用いないＬＴＥ／ＬＴＥ−Ａとの間に緩い相互作用があり得る。
【００１９】
[0026]本明細書で説明する技法は、ＬＴＥに限定されず、ＣＤＭＡ、ＴＤＭＡ、ＦＤＭＡ、ＯＦＤＭＡ、ＳＣ−ＦＤＭＡ、および他のシステムなど、様々なワイヤレス通信システムのためにも使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００２０】
[0027]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２１】
[0028]最初に図１を参照すると、図はワイヤレス通信システムまたはネットワーク１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介してコアネットワーク１３０と制御情報および／またはユーザデータを通信し得る。実施形態では、基地局１０５は、ワイヤードまたはワイヤレス通信リンクであり得るバックホールリンク１３４を介して互いと直接または間接的に通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２２】
[0029]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ：basic service set）、拡張サービスセット（ＥＳＳ：extended service set）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。システム１００は、異なるタイプの基地局１０５（たとえば、マクロ基地局、マイクロ基地局、および／またはピコ基地局）を含み得る。異なる技術のための重複するカバレージエリアがあり得る。
【００２３】
[0030]いくつかの実施形態では、システム１００は、１つまたは複数の無認可スペクトル動作モードまたは展開シナリオをサポートするＬＴＥ／ＬＴＥ−Ａネットワークである。他の実施形態では、システム１００は、無認可スペクトルと、無認可スペクトルを用いるＬＴＥ／ＬＴＥ−Ａとは異なるアクセス技術とを使用して、または認可スペクトルと、ＬＴＥ／ＬＴＥ−Ａとは異なるアクセス技術とを使用して、ワイヤレス通信をサポートし得る。発展型ノードＢ（ｅＮＢ：evolved Node B）およびユーザ機器（ＵＥ）という用語は、概して、それぞれ基地局１０５およびデバイス１１５を表すために使用され得る。システム１００は、異なるタイプのｅＮＢがその中で様々な地理的領域にカバレージを与える、無認可スペクトルを用いるおよび用いない異種（Heterogeneous）ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。ピコセル、フェムトセル、および／または他のタイプのセルなどのスモールセルは低電力ノードまたはＬＰＮを含み得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２４】
[0031]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を通して）直接または間接的に、互いと通信し得る。システム１００は同期動作または非同期動作をサポートし得る。同期動作の場合、ｅＮＢは同様のフレームタイミングおよび／またはゲーティングタイミングを有し得、異なるｅＮＢからの送信は近似的に時間的に整合され得る。非同期動作の場合、ｅＮＢは異なるフレームタイミングおよび／またはゲーティングタイミングを有し得、異なるｅＮＢからの送信は時間的に整合されないことがある。本明細書で説明する技法は、同期動作または非同期動作のいずれかのために使用され得る。
【００２５】
[0032]ＵＥ１１５はシステム１００全体にわたって分散され、各ＵＥは固定またはモバイルであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００２６】
[0033]システム１００中に示された通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、アップリンク送信は逆方向リンク送信と呼ばれることもある。ダウンリンク送信は、認可スペクトル、無認可スペクトル、またはその両方を使用して行われ得る。同様に、アップリンク送信は、認可スペクトル、無認可スペクトル、またはその両方を使用して行われ得る。
【００２７】
[0034]システム１００のいくつかの実施形態では、認可スペクトル中のＬＴＥダウンリンク容量が無認可スペクトルにオフロードされ得る補足ダウンリンク（ＳＤＬ）モードと、ＬＴＥダウンリンク容量とＬＴＥアップリンク容量の両方が認可スペクトルから無認可スペクトルにオフロードされ得るキャリアアグリゲーションモードと、基地局（たとえば、ｅＮＢ）とＵＥとの間のＬＴＥダウンリンクおよびアップリンク通信が無認可スペクトル中で行われ得るスタンドアロンモードとを含む、無認可スペクトルを用いるＬＴＥ／ＬＴＥ−Ａネットワークのための様々な展開シナリオがサポートされ得る。基地局１０５ならびにＵＥ１１５は、これらまたは同様の動作モードのうちの１つまたは複数をサポートし得る。無認可スペクトル中のＬＴＥダウンリンク送信のために通信リンク１２５中でＯＦＤＭＡ通信信号が使用され得、無認可スペクトル中のＬＴＥアップリンク送信のために通信リンク１２５中でＳＣ−ＦＤＭＡ通信信号が使用され得る。システム１００などのシステムにおける、無認可スペクトルを用いるＬＴＥ／ＬＴＥ−Ａネットワーク展開シナリオまたは動作モードの実装形態に関するさらなる詳細、ならびに無認可スペクトルを用いるＬＴＥ／ＬＴＥ−Ａの動作に関係する他の特徴および機能を、図２Ａ〜図９を参照しながら以下で与える。
【００２８】
[0035]次に図２Ａを参照すると、図２００は、無認可スペクトル上での通信をサポートするＬＴＥネットワークのための補足ダウンリンクモードおよびキャリアアグリゲーションモードの例を示している。図２００は図１のシステム１００の部分の一例であり得る。その上、基地局１０５−ａは図１の基地局１０５の例であり得、ＵＥ１１５−ａは図１のＵＥ１１５の例であり得る。
【００２９】
[0036]図２００における補足ダウンリンクモードの例では、基地局１０５−ａは、ダウンリンク２０５を使用してＵＥ１１５−ａにＯＦＤＭＡ通信信号を送信し得る。ダウンリンク２０５は無認可スペクトル中の周波数Ｆ１に関連する。基地局１０５−ａは、双方向リンク２１０を使用して同じＵＥ１１５−ａにＯＦＤＭＡ通信信号を送信し得、双方向リンク２１０を使用してＵＥ１１５−ａからＳＣ−ＦＤＭＡ通信信号を受信し得る。双方向リンク２１０は認可スペクトル中の周波数Ｆ４に関連する。無認可スペクトル中のダウンリンク２０５と認可スペクトル中の双方向リンク２１０とはコンカレントに動作し得る。ダウンリンク２０５はダウンリンク容量オフロードを基地局１０５−ａに与え得る。いくつかの実施形態では、ダウンリンク２０５は、ユニキャストサービス（たとえば、１つのＵＥにアドレス指定される）サービスのために、またはマルチキャストサービス（たとえば、いくつかのＵＥにアドレス指定される）のために使用され得る。このシナリオは、認可スペクトルを使用し、トラフィックおよび／またはシグナリング輻輳の一部を軽減する必要がある、任意のサービスプロバイダ（たとえば、旧来のモバイルネットワーク事業者またはＭＮＯ）に関して発生し得る。
【００３０】
[0037]図２００におけるキャリアアグリゲーションモードの一例では、基地局１０５−ａは、双方向リンク２１５を使用してＵＥ１１５−ａにＯＦＤＭＡ通信信号を送信し得、双方向リンク２１５を使用して同じＵＥ１１５−ａからＳＣ−ＦＤＭＡ通信信号を受信し得る。双方向リンク２１５は無認可スペクトル中の周波数Ｆ１に関連する。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は認可スペクトル中の周波数Ｆ２に関連する。双方向リンク２１５はダウンリンクおよびアップリンク容量オフロードを基地局１０５−ａに与え得る。上記で説明した補足ダウンリンクのように、このシナリオは、認可スペクトルを使用し、トラフィックおよび／またはシグナリング輻輳の一部を軽減する必要がある、任意のサービスプロバイダ（たとえば、ＭＮＯ）に関して発生し得る。
【００３１】
[0038]図２００におけるキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５は無認可スペクトル中の周波数Ｆ３に関連する。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は認可スペクトル中の周波数Ｆ２に関連する。双方向リンク２２５はダウンリンクおよびアップリンク容量オフロードを基地局１０５−ａに与え得る。この例および上記で与えた例は説明の目的で提示され、容量オフロードのために、無認可スペクトルを用いるＬＴＥ／ＬＴＥ−Ａと、無認可スペクトルを用いないＬＴＥ／ＬＴＥ−Ａとを組み合わせる他の同様の動作モードまたは展開シナリオがあり得る。
【００３２】
[0039]上記で説明したように、無認可帯域中でＬＴＥ／ＬＴＥ−Ａを使用することによって提供される容量オフロードから恩恵を受け得る一般的なサービスプロバイダは、ＬＴＥスペクトルを用いる旧来のＭＮＯである。これらのサービスプロバイダの場合、動作構成は、認可スペクトル上のＬＴＥ  １次コンポーネントキャリア（ＰＣＣ：primary component carrier）と無認可スペクトル上の２次コンポーネントキャリア（ＳＣＣ：secondary component carrier）とを使用するブートストラップモード（たとえば、補足ダウンリンク、キャリアアグリゲーション）を含み得る。
【００３３】
[0040]補足ダウンリンクモードでは、無認可スペクトルを用いるＬＴＥ／ＬＴＥ−Ａのための制御はＬＴＥアップリンク（たとえば、双方向リンク２１０のアップリンク部分）上でトランスポートされ得る。ダウンリンク容量オフロードを与える理由の１つは、データ需要が大部分はダウンリンク消費によって引き起こされるからである。その上、このモードでは、ＵＥが無認可スペクトル中で送信していないので、規制上の影響がないことがある。ＵＥ上でリッスンビフォアトーク（ＬＢＴ：listen-before-talk）またはキャリア検知多重アクセス（ＣＳＭＡ：carrier sense multiple access）要件を実装する必要はない。しかしながら、ＬＢＴは、たとえば、周期（たとえば、１０ミリ秒ごとの）クリアチャネルアセスメント（ＣＣＡ：clear channel assessment）および／または無線フレーム境界に整合された把持および放棄（grab-and-relinquish）機構を使用することによって、基地局（たとえば、ｅＮＢ）上で実装され得る。
【００３４】
[0041]キャリアアグリゲーションモードでは、ＬＴＥ（たとえば、双方向リンク２１０、２２０、および２３０）においてデータおよび制御が通信され得、無認可スペクトルを用いるＬＴＥ／ＬＴＥ−Ａ（たとえば、双方向リンク２１５および２２５）においてデータが通信され得る。無認可スペクトルを用いるＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたる異なる対称性を伴うＴＤＤ−ＴＤＤキャリアアグリゲーションに入り得る。
【００３５】
[0042]図２Ｂに、無認可スペクトルを用いるＬＴＥ／ＬＴＥ−Ａのためのスタンドアロンモードの一例を示す図２００−ａを示す。図２００−ａは図１のシステム１００の部分の一例であり得る。その上、基地局１０５−ｂは、図１の基地局１０５および図２Ａの基地局１０５−ａの例であり得、ＵＥ１１５−ｂは、図１のＵＥ１１５および図２ＡのＵＥ１１５−ａの例であり得る。
【００３６】
[0043]図２００−ａにおけるスタンドアロンモードの例では、基地局１０５−ｂは、双方向リンク２４０を使用してＵＥ１１５−ｂにＯＦＤＭＡ通信信号を送信し得、双方向リンク２４０を使用してＵＥ１１５−ｂからＳＣ−ＦＤＭＡ通信信号を受信し得る。双方向リンク２４０は、図２Ａに関して上記で説明した無認可スペクトル中の周波数Ｆ３に関連する。スタンドアロンモードは、スタジアム内アクセス（たとえば、ユニキャスト、マルチキャスト）など、非旧来型ワイヤレスアクセスシナリオにおいて使用され得る。この動作モードのための一般的なサービスプロバイダは、スタジアム所有者、ケーブル会社、イベント主催者、ホテル、企業、および認可スペクトルを有しない大企業であり得る。これらのサービスプロバイダの場合、スタンドアロンモードのための動作構成は無認可スペクトル上のＰＣＣを使用し得る。その上、ＬＢＴが基地局とＵＥの両方上で実装され得る。
【００３７】
[0044]次に図３を参照すると、図３００は、様々な実施形態による、認可および無認可スペクトル中でＬＴＥをコンカレントに使用するときのキャリアアグリゲーションの一例を示している。図３００におけるキャリアアグリゲーション方式は、図２Ａに関して上記で説明したハイブリッドＦＤＤ−ＴＤＤキャリアアグリゲーションに対応し得る。このタイプのキャリアアグリゲーションは、図１のシステム１００の少なくとも一部分において使用され得る。その上、このタイプのキャリアアグリゲーションは、それぞれ図１および図２Ａの基地局１０５および１０５−ａにおいて、および／またはそれぞれ図１および図２ＡのＵＥ１１５および１１５−ａにおいて使用され得る。
【００３８】
[0045]この例では、ＦＤＤ（ＦＤＤ−ＬＴＥ）がダウンリンクにおいてＬＴＥに関して実行され得、第１のＴＤＤ（ＴＤＤ１）が、無認可スペクトルを用いるＬＴＥ／ＬＴＥ−Ａに関して実行され得、第２のＴＤＤ（ＴＤＤ２）がＬＴＥに関して実行され得、別のＦＤＤ（ＦＤＤ−ＬＴＥ）がアップリンクにおいてＬＴＥに関して実行され得る。ＴＤＤ１は６：４のＤＬ：ＵＬ比を生じ、ＴＤＤ２についての比は７：３である。時間スケール上で、異なる有効ＤＬ：ＵＬ比は、３：１、１：３、２：２、３：１、２：２、および３：１である。この例は、例示の目的で提示され、ＬＴＥとＬＴＥ−Ｕとの動作を組み合わせる他のキャリアアグリゲーション方式があり得る。
【００３９】
[0046]図４に、図１中の基地局／ｅＮＢのうちの１つであり得る基地局／ｅＮＢ１０５および図１中のＵＥのうちの１つであり得るＵＥ１１５の設計のブロック図を示す。ｅＮＢ１０５はアンテナ４３４ａ〜４３４ｔを装備し得、ＵＥ１１５はアンテナ４５２ａ〜４５２ｒを装備し得る。ｅＮＢ１０５において、送信プロセッサ４２０が、データソース４１２からデータを受信し、コントローラ／プロセッサ４４０から制御情報を受信し得る。制御情報は、物理ブロードキャストチャネル（ＰＢＣＨ：physical broadcast channel）、物理制御フォーマットインジケータチャネル（ＰＣＦＩＣＨ：physical control format indicator channel）、物理ハイブリッド自動再送要求インジケータチャネル（ＰＨＩＣＨ：physical hybrid automatic repeat request indicator channel）、物理ダウンリンク制御チャネル（ＰＤＣＣＨ：physical downlink control channel）などのためのものであり得る。データは物理ダウンリンク共有チャネル（ＰＤＳＣＨ：physical downlink shared channel）などのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、１次同期信号（ＰＳＳ：primary synchronization signal）、２次同期信号（ＳＳＳ：secondary synchronization signal）、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、出力サンプルストリームを取得するために、（たとえば、ＯＦＤＭなどのために）それぞれの出力シンボルストリームを処理し得る。各変調器４３２はさらに、ダウンリンク信号を取得するために
、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００４０】
[0047]ＵＥ１１５において、アンテナ４５２ａ〜４５２ｒが、ｅＮＢ１０５からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４はさらに、受信シンボルを取得するために、（たとえば、ＯＦＤＭなどのために）入力サンプルを処理し得る。ＭＩＭＯ検出器４５６が、すべての復調器４５４ａ〜４５４ｒから受信シンボルを取得し、適用可能な場合は受信シンボルに対してＭＩＭＯ検出を実行し、検出されたシンボルを与え得る。受信プロセッサ４５８が、検出シンボルを処理（たとえば、復調、デインターリーブ、および復号）し、ＵＥ１１５のための復号されたデータをデータシンク４６０に与え、復号された制御情報をコントローラ／プロセッサ４８０に与え得る。
【００４１】
[0048]アップリンク上では、ＵＥ１１５において、送信プロセッサ４６４が、データソース４６２から（たとえば、物理アップリンク共有チャネル（ＰＵＳＣＨ：physical uplink shared channel）のための）データを受信し、処理し得、コントローラ／プロセッサ４８０から（たとえば、物理アップリンク制御チャネル（ＰＵＣＣＨ：physical uplink control channel）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され、ｅＮＢ１０５に送信され得る。ｅＮＢ１０５において、ＵＥ１１５からのアップリンク信号は、アンテナ４３４によって受信され、復調器４３２によって処理され、適用可能な場合はＭＩＭＯ検出器４３６によって検出され、ＵＥ１１５によって送られた復号されたデータと制御情報とを取得するために、受信プロセッサ４３８によってさらに処理され得る。プロセッサ４３８は、復号されたデータをデータシンク４３９に与え、復号された制御情報をコントローラ／プロセッサ４４０に与え得る。
【００４２】
[0049]コントローラ／プロセッサ４４０および４８０は、それぞれｅＮＢ１０５における動作およびＵＥ１１５における動作を指示し得る。ｅＮＢ１０５におけるコントローラ／プロセッサ４４０ならびに／あるいは他のプロセッサおよびモジュールは、本明細書で説明する技法のための様々なプロセスを実行するか、またはその実行を指示し得る。ＵＥ１１５におけるコントローラ／プロセッサ４８０および／または他のプロセッサとモジュールは、図７〜図９に示す機能ブロック、および／または本明細書で説明する技法のための他のプロセスを実行するか、またはその実行を指示し得る。メモリ４４２および４８２は、それぞれｅＮＢ１０５およびＵＥ１１５のためのデータおよびプログラムコードを記憶し得る。スケジューラ４４４は、ダウンリンク上および／またはアップリンク上でのデータ送信のためにＵＥをスケジュールし得る。
【００４３】
[0050]異なるＲＡＮ上の２つまたはそれ以上の送信エンティティが同時に同じ利用可能な送信チャネルの使用を共有しており、送信エンティティ間にバックホール通信回線または協調が存在せず、ＲＡＮ動作の共有が与えられないシステムでは、複数のＲＡＮにわたってチャネルアクセスを共有するためのシステムを与えることは、有益であり得る。たとえば、認可共有アクセス（ＡＳＡ：Authorized Shared Access）周波数共有が採用されるロケーション、異なるＲＡＮを用いる複数のモバイルネットワーク事業者は、同意を通して、同じ周波数スペクトルへのアクセスを共有し得る。
【００４４】
[0051]別の例では、無認可スペクトルを用いるＬＴＥ／ＬＴＥ−Ａ通信システムは、互いに極めて近接した無認可スペクトルを使用する複数のスモールセル展開を含み得る。また、そのようなロケーションでは、複数のモバイルネットワーク事業者は、同じ送信チャネルへのアクセスのために競合し得る。図５は、建築物５０が、同じ送信チャネル上で２つの異なるモバイルネットワーク事業者へのアクセスを与える２つの別個のスモールセル５０３および５０５の展開を有することを示すブロック図である。建築物５０の空間５００内で、ＵＥ５０４のユーザによって、第１の事業者へのアクセスを与えるスモールセル５０５が展開される。同様に、空間５０１内で、ＵＥ５０２のユーザによって、第２の事業者へのアクセスを与えるスモールセル５０３が展開される。スモールセル５０３および５０５は、第１および第２の事業者へのアクセスを限定加入者グループ（ＣＳＧ）に与える。
【００４５】
[0052]いくつかの動作時間において、ＵＥ５０２は、それ自体のスモールセル５０３よりもネイバリングスモールセル５０５に近いことがあるが、ＵＥ５０４は、それ自体のスモールセル５０５よりもネイバリングスモールセル５０３に近いことがある。そのような場合、ネイバリングスモールセルは、ＵＥ５０２および５０４の通信とのかなりの干渉を生じることになる。その上、スモールセル５０３および５０５からの通信が無認可スペクトルを用いるＬＴＥ／ＬＴＥ−Ａ通信システムにおいて無認可スペクトル上で行われているので、干渉送信は、ＣＣＡ検査の失敗をルーチン的に生じ得る。そのようなＣＳＧ問題は、ＲＡＮ共有を通して解決され得る。ＲＡＮ共有は、ＵＥ５０４が第１の事業者に加入しているにもかかわらず、ＵＥ５０４が第２の事業者のモバイルネットワークを通して通信を行うことを単に可能にするスモールセル５０３を実現することになる。しかしながら、そのようなＲＡＮ共有は一般的な方法でない。また、代替的に、動的周波数選択（ＤＦＳ）は、そのようなＣＳＧ問題に対する軽減を与え得るが、５ＧＨｚシステムにより関連する。別のソリューションは、そのようなＣＳＧ問題が起こったときに認可スペクトルにフォールバックすることであり得る。しかしながら、このソリューションは、スモールセル５０３および５０５など、スモールセル展開を有することの利益を無にし得る。最終的に、干渉するネイバー信号を単に消去するために、干渉消去技法が使用され得る。しかしながら、そのような干渉消去は、様々なＵＥまたは基地局がロケーションを共有することによって、複雑さおよび処理に関してあまりにコストがかかり得る。
【００４６】
[0053]別のソリューションは、スモールセル５０３および５０５にタイミングおよび送信のためのオフセットを与えることであり得る。オフセットは、干渉のＣＳＧ問題のうちのいくつかを緩和することになる。しかしながら、オフセットは、より良い、またはより公平なＣＣＡプロセスを保証しない可能性がある。ＣＳＧ問題を解決する他の方法が利用可能でないとき、ＣＣＡ整合は、オフセットすることよりも良い代替形態であり得る。ＣＣＡ整合は、概して、競合する送信機のためのＣＣＡ送信スロット間の協調スケジューリングを行うことによって、一般に、より良い周波数再利用を生じる。
【００４７】
[0054]本明細書で図示および説明する例の多くが、無認可スペクトルを用いるＬＴＥ／ＬＴＥ−Ａ通信システムにおける無認可スペクトル上での送信に関与するが、本開示の様々な態様は、認可スペクトル上でのＡＳＡ展開などにおいて、２つまたはそれ以上のエンティティが、異なるＲＡＮ上で同時に同じ送信チャネルへのアクセスを共有する共有周波数ロケーションに等しく適用され得ることに留意されたい。
【００４８】
[0055]「リッスンビフォアトーク」（ＬＢＴ）技法を使用する無認可帯域キャリアを用いるＬＴＥ／ＬＴＥ−Ａシステム展開では、送信デバイスは、送信を開始する前にチャネルを検知すべきである。無認可スペクトルを用いる同期ＬＴＥ／ＬＴＥ−Ａシステムでは、競合する展開は、チャネル検知期間の計画された割当てによって無認可スペクトルにアクセスすることを順番に行うことができる。そのような順番における公平性は、アクセス順番がほぼ等確率で共有され得るように、異なる展開にクリアチャネルアセスメント（ＣＣＡ）試みを割り振ることによって達成され得る。そのようなシステムでは、所与の展開Ａは、展開Ｂが展開Ａより先にＣＣＡ期間を割り当てられるのと同じ確率で、展開Ｂより先にＣＣＡ期間を割り当てられることになる。
【００４９】
[0056]図６は、無認可スペクトルを用いる同期ＬＴＥ／ＬＴＥ−Ａ通信システムにおける送信ストリーム６０を示すブロック図である。送信ストリーム６０は、ＬＴＥ無線フレーム６０４などのＬＴＥ無線フレームに分割され、そのような無線フレームの各々は、アップリンク通信（Ｕ）、ダウンリンク通信（Ｄ）、またはアップリンク通信を含み得るアップリンクパイロットタイムスロット（ＵｐＰＴＳ：uplink pilot time slot）（図示せず）と、ガード期間６０２などのガード期間と、ダウンリンク通信を含み得るダウンリンクパイロットタイムスロット（ＤｗＰＴＳ：downlink pilot time slot）６０５とを含むスペシャルサブフレーム（Ｓ’）のために構成され得る１０個のサブフレーム（サブフレーム０〜９）にさらに分割される。無認可キャリア上の通信を開始することより前に、送信機発信送信ストリーム６０は、７つの可能な送信スロット、ＣＣＡ送信スロットオプション６０３−Ａ〜６０３−Ｇのうちの１つの中でダウンリンクＣＣＡ（ＤＣＣＡ）６００を送信する。送信機がクリアなＣＣＡを検出した場合、無認可チャネルは、送信機からの実際のデータ送信より前にチャネル使用ビーコン信号（ＣＵＢＳ：channel usage beacon signal）６０１によって占有される。ＣＣＡが行われると、送信機は、ＬＴＥ無線フレーム６０４など、無線フレームに付随する１０ｍｓの期間の間別のＣＣＡ検査を実行するように要求されない。
【００５０】
[0057]競合する展開が送信機発信送信ストリーム６０の近傍にあるとき、送信機は、ＣＣＡ送信スロットオプション６０３−Ａ〜６０３−Ｇのうちの１つを割り当てられることになるが、競合する展開は、ＣＣＡ送信スロットオプション６０３−Ａ〜６０３−Ｇのうちの他のオプションを割り当てられ得る。ＣＣＡ送信スロットオプション６０３−Ａ〜６０３−Ｇのうちの早期のオプション中のＣＣＡのために割り当てられた展開が、競合する展開がＣＣＡを試みる前に、クリアなＣＣＡを検出し、ＣＵＢＳ送信を開始し得る可能性がある。後続のＣＣＡ試みは、その場合、ＣＵＢＳ送信の検出によって失敗する。たとえば、図６に示された代替の態様では、送信機は、ＣＣＡ検査のためのＣＣＡ送信スロットオプション６０３−Ｃを割り当てられる。送信機は、クリアなＣＣＡを検出し、直ちにＣＵＢＳ６０６を送信し始める。ＣＣＡ送信スロットオプション６０３−Ｄ〜６０３−Ｇのいずれかに割り当てられた競合する展開がＣＵＢＳ６０６を検出することになり、それらのそれぞれのＣＣＡ検査は失敗することになる。
【００５１】
[0058]ＣＣＡ送信スロットオプションは、パブリックランドモバイルネットワーク（ＰＬＭＮ）によって、競合する展開にランダムに割り振られ得る。しかしながら、ランダム割振りは、ＣＣＡ送信スロットオプションの所与のセット内の公平な割当てを生じ得るが、ランダム割振りは、後続の無線フレームが無線フレームにわたって公平な割当てを生じることを保証しない。その上、ランダム割振りはまた、２つまたはそれ以上の別個の展開が同じ配置オプションに割り当てられることになる衝突が生じないことを保証しない。そのような場合、２つまたはそれ以上の別個の展開が同じ配置オプションに割り当てられた場合、各展開はクリアなチャネルを検出し、衝突するＣＵＢＳを送信し始め得る。したがって、各ＰＬＭＮに対するＣＣＡ位置のランダム割振りではなく、本開示の様々な態様は、割振りシーケンスの順列を使用する。割振りシーケンスは、別個の送信スロットに各ＰＬＭＮ展開を割り当てる。次いで、各シーケンスの順列が生成され、現在フレーム内でとフレームにわたっての両方で公平な割当てを与える順列のシーケンスになる。順列のシーケンスを使用することによって、ＰＬＭＮの数がＣＣＡ送信スロットオプションの数以下である限り、衝突は完全に回避され得る。順列の適切なシーケンスを定義することによって、ペアのＰＬＭＮ間の公平性は保証され得る。
【００５２】
[0059]たとえば、Ｐを、競合するＰＬＭＮエンティティの間で共通に共有され得る７個の可能なＣＣＡ送信スロットオプションを表す整数｛０，１，２，３，４，５，６｝の順列であるとする。順列の例示的なシーケンスでは、第１の順列Ｐ0が整数シーケンス｛３，５，０，１，６，２，４｝を与え得、第２の順列Ｐ1が整数シーケンス｛０，２，６，４，１，５，３｝を与え得、第３の順列Ｐ2が整数シーケンス｛１，５，２，４，３，６，０｝を与え得、第４の順列Ｐ3が整数シーケンス｛２，３，６，４，０，５，１｝を与え得、第５の順列Ｐ4が整数シーケンス｛５，１，４，３，２，０，６｝を与え得る。順列Ｐ0〜Ｐ4のスロット割当てシーケンスは、ランダムまたは擬似ランダムに生成され得る。その上、様々なＰＬＭＮエンティティは、可能な７つの共有スロットのうちの１つに関連するインデックスをランダムに割り当てられ得る。したがって、そのようなシステムでは、同じスロットに２つのＰＬＭＮエンティティが割り当てられ、性能を低下させるＣＣＡまたは送信衝突を生じることに関して７分の１の可能性があることになる。
【００５３】
[0060]順列Ｐ0〜Ｐ4を生成するための方法は、各ＰＬＭＮエンティティに事前に知られている。したがって、動作領域中の各ＰＬＭＮエンティティは順列Ｐ0〜Ｐ4を自律的に生成することができる。順列の特定のシーケンスは、様々なＰＬＭＮエンティティに関連するグループＩＤに基づいて決定され得る。たとえば、所与の動作領域において、順列の２つのシーケンス、グループＩＤ１に関連する第１のシーケンス｛Ｐ0，Ｐ2，Ｐ1｝、およびグループＩＤ２に関連する第２のシーケンス｛Ｐ3，Ｐ0，Ｐ4｝が定義される。この例では、動作領域中の３つのＰＬＭＮエンティティはグループＩＤ１に割り当てられるが、動作領域中の２つの他のＰＬＭＮエンティティはグループＩＤ２に割り当てられる。ＰＬＭＮエンティティの５個すべてが、順列Ｐ0〜Ｐ2を生成することが可能である。しかしながら、それらがグループＩＤ１に関連するので、３つのＰＬＭＮエンティティは、グループＩＤ１に関連する第１のシーケンス｛Ｐ0，Ｐ2，Ｐ1｝を決定するが、２つの他のＰＬＭＮエンティティは、グループＩＤ２に関連する第２のシーケンス｛Ｐ3，Ｐ0，Ｐ4｝を決定する。
【００５４】
[0061]第１の送信フレームでは、グループＩＤ１の３つのＰＬＭＮエンティティ（たとえば、ＴＸ１、ＴＸ２、およびＴＸ３）は、順列Ｐ0｛３，５，０，１，６，２，４｝に関連する送信スロットシーケンスを使用する。それらの割り当てられたグループＩＤに加えて、ＴＸ１〜ＴＸ３はまた、ＣＣＡインデックスを割り当てられる。たとえば、ＴＸ１はＣＣＡインデックス３を割り当てられ、ＴＸ２はＣＣＡインデックス６を割り当てられ、ＴＸ３はＣＣＡインデックス４を割り当てられる。このインデックスは順列中の整数に対応し、順列中の整数の位置が特定の送信スロットを表す。したがって、３が順列Ｐ0の第１の位置にあるので、ＴＸ１は第１の送信スロットオプション中でそれのＣＣＡ検査を実行することになる。ＴＸ２は、インデックス６をもつ第５の送信スロットオプション中でそれのＣＣＡ検査を実行するために割り当てられ、ＴＸ３は、インデックス４をもつ第７の送信スロットオプション中でそれのＣＣＡ検査を実行するために割り当てられる。このスロット割当ての場合、ＴＸ１がクリアなＣＣＡを検出し、第２の送信スロットオプション中で直ちにＣＵＢＳを送信し始めることになる可能性がある。したがって、ＴＸ２およびＴＸ３は、それらのＣＣＡを実行するときにＴＸ１からのＣＵＢＳのために障害を検出することになる。第２の送信フレームに移るときに、ＴＸ１〜ＴＸ３は、次のＣＣＡ検査を行うための順列Ｐ2｛１，５，２，４，３，６，０｝に移動する。順列Ｐ2では、ＴＸ１は、第５の送信スロットオプション中でそれのＣＣＡを実行するために割り当てられ、ＴＸ２は、第６の送信スロットオプション中でＣＣＡを実行するために割り当てられ、ＴＸ３は、第４の送信スロットオプション中でそれＣＣＡを実行するために割り当てられる。したがって、ＴＸ３は、おそらくクリアなＣＣＡを検出し、第５の送信スロットオプション中でＣＵＢＳを送信し始めることになり、それにより、ＴＸ１およびＴＸ２はそれらのＣＣＡ検査を失敗することになる。
【００５５】
[0062]図７は、本開示の一態様を実装するために実行される例示的なブロックを示す機能ブロック図である。ブロック７００において、送信機が、同じ周波数上で２つまたはそれ以上のＲＡＮによって共有される複数の送信スロットのための送信フレームの複数の送信スロット割当ての現在の順列を決定する。送信機は、利用可能な順列を生成し、送信機に関連するグループＩＤに基づいて、順列のシーケンスを選択する。現在の順列は現在の送信フレームに対応することになる。
【００５６】
[0063]ブロック７０１において、送信機は、送信機に関連するインデックスに従って現在の順列において複数の送信スロット割当てのうちの割り当てられた送信スロットを選択する。上記のように、各順列は、関連するＰＬＭＮエンティティへの共有送信スロットのセットの特定の送信スロットの割当てを表す特定のシーケンス中で構成された番号のセットを有する。ＰＬＭＮエンティティに関連するインデックスは、特定の送信スロットを決定するために使用される。ブロック７０２において、送信機は、割り当てられた送信スロット上で送信を開始する。たとえば、送信機はＣＣＡ検査を実行するか、またはデータ送信を開始し得る。
【００５７】
[0064]１つの代替順列シーケンスは、シーケンスの各順列が、シーケンス中の先行する順列の同じ量だけ（たとえば、１だけ）サイクリックシフトされるシーケンスを与える。この構成は、各ＰＬＭＮエンティティが最高優先度の（第１の）ＣＣＡ送信スロットオプションを占有する等しい確率を与える。しかしながら、それは、所与のペアのＰＬＭＮエンティティ間の公平性を保証しない。たとえば、隣接するスロットを占有するペアのＰＬＭＮエンティティ間では、一方のエンティティは６回優先度を取るのに対して、他方のエンティティは１回優先度を取ることになる。
【００５８】
[0065]順列の様々なシーケンスの公平性を改善するために、シーケンスにおいてミラーホッピングの形態が使用され得る。たとえば、ミラーホッピングは、各フレームについて、［Ｐ0，−Ｐ0，Ｐ0，−Ｐ0，．．．］の公平な順列シーケンスを定義するために使用され得、ただし、−Ｐ0は、Ｐ0に対する時間反転シーケンスを与える。Ｐ0がスロットシーケンス｛３，５，０，１，６，２，４｝を有する場合、時間反転シーケンス−Ｐ0はスロットシーケンス｛４，２，６，１，０，５，３｝を有する。したがって、第１のフレームのＰ0順列では、インデックス２をもつ第１の送信機は、インデックス５をもつ第２の送信機に優先してクリアなＣＣＡを検出し得、第２の送信機は、第２のスロット中で第１の送信機の成功したＣＣＡに基づいてＣＣＡ失敗を有することになる。次のフレームでは、時間反転順列−Ｐ0へのホッピングが実装されたとき、スロットのシーケンスが時間反転されるので、インデックス５をもつ第２の送信機は、今度は、インデックス２をもつ第１の送信機に関連するスロットの前に位置する。したがって、ホッピングは、公平なペアワイズシーケンスを与えることになる。
【００５９】
[0066]図８は、本開示の一態様を実装するために実行される例示的なブロックを示す機能ブロック図である。ブロック８００において、送信機は、複数の送信スロットの一意の送信スロット割当て組合せに基づいて複数の順列を生成する。順列の各々を生成するための方法は、各送信エンティティに知られている。複数の送信スロットは、異なるＰＬＭＮエンティティを有する複数の送信機間で共有される。
【００６０】
[0067]ブロック８０１において、送信機は、生成された順列から順列のシーケンスを決定し、ただし、シーケンスは、通常順列と通常順列に対応する時間反転順列との間でホッピングする。順列の特定のシーケンスは、同じグループＩＤに関連する追加の送信機が、順列の同じシーケンスを使用することになるように、送信機に割り当てられたグループＩＤに基づく。通常順列と時間反転順列との間のホッピングは、フレームごとに行われ得るか、または同じタイプの複数の順列のパターンに従って構成され得る。ブロック８０２において、送信機は、現在の送信フレームに従ってシーケンスから現在の順列を選択する。
【００６１】
[0068]上記のミラーホッピング機能は、順列の公平なシーケンスを常に与えるとは限らないことに留意されたい。たとえば、インデックス２および５をもつ上記２つの送信機のためのミラーホッピングシーケンスに関して、インデックス０をもつ第３の送信機がある場合、第３の送信機のためのＣＣＡ検査は、使用される順列がＰ0であるのか時間反転シーケンス−Ｐ0であるのかにかかわらず、阻止されることになる。概して、３つのインデックスのセットがある場合、順列の中央に配置されるインデックスは永続的に阻止されることになる。しかしながら、極めて近接した３つのノードが連続的に送信する確率は、極めて近接した２つのノードが連続的に送信する確率よりも低い。
【００６２】
[0069]順列のシーケンスを確立する際に使用される特定のホッピング関数は、様々な挙動を行うように選択され得る。たとえば、１つの例示的なホッピング順列シーケンスでは、順列は、たとえば、［Ｐ0，−Ｐ0，Ｐ1，−Ｐ1，Ｐ2，−Ｐ2，．．．］のように、フレームごとにホッピングする。通常順列と時間反転順列との間でホッピングするシーケンスを用いると、および各時間反転順列の後に進む順列を用いると、低い遅延があるが、弱い永続性があり、これは、変化する順列の場合、干渉がフレームごとに変化することになるので、受信機からのフィーバックが、有用であるべき時間に到着しないことがあるからである。
【００６３】
[0070]第２のホッピング順列シーケンスでは、たとえば、［Ｐ0，Ｐ0，．．．Ｐ0，−Ｐ0，−Ｐ0，．．．−Ｐ0，Ｐ1，Ｐ1，．．．Ｐ1，−Ｐ1，−Ｐ1，．．．−Ｐ1］のように、時間反転順列のセットにホッピングし、後続の順列に進む前に、複数のフレームにわたってより長く維持される順列。このホッピング順列シーケンスにおける遅延は、はるかに長く、より強い永続性を伴う。したがって、干渉は、いくつかのフレームにわたってより長く続く。受信機からのフィードバックは、送信機が送信特性を調整することを可能にする。
【００６４】
[0071]第３のホッピング順列シーケンスでは、強い永続性とともに、低い遅延が示される。順列は、たとえば、［Ｐ0，−Ｐ0，．．Ｐ0，−Ｐ0，Ｐ1，−Ｐ1，．．Ｐ1，−Ｐ1，．．］のように、フレームごとに通常と時間反転との間でホッピングするが、フレームのいくつかのセットにわたって同じ順列ホッピングを繰り返す。そのようなホッピングパターンでのフィードバック測定値は、第１のサブセットが偶数番号のフレームに指定され得、フィードバックの第２のサブセットが奇数番号のフレームに指定され得るように、サブセットに分割され得る。
【００６５】
[0072]無認可スペクトルを用いるＬＴＥ／ＬＴＥ−Ａ通信システムにおけるＣＣＡ機会の管理を対象とする本開示の様々な態様は、７つの利用可能なＣＣＡ送信スロットオプションを用いて動作する。８つ以上のモバイルネットワーク事業者がある場合、順列の複数のシーケンスを生成するために複数のグループＩＤが使用され得る。しかしながら、複数のシーケンスは、依然として、重複シーケンスのためにＰＬＭＮエンティティが同じ送信スロットに割り当てられたときの衝突を生じ得る。
【００６６】
[0073]８つ以上のモバイルネットワーク事業者をもつシナリオのための代替ソリューションは、７つのＣＣＡ送信スロットオプションのうちの１つを予約し、モバイルネットワーク事業者に残りの６つを割り振り、ここで、６つの送信スロットのうちのいくつかが複数のＭＮＯに割り振られることになる。そのような場合、強い干渉と、同時に同じチャネルについて競合する送信とを伴うＣＳＧタイプの問題をＵＥまたはｅＮＢが経験した場合、そのような問題を経験しているＰＬＭＮエンティティは、それの割り振られた送信スロット機会から予約済みスロットに切り替わることが可能にされる。予約済み送信スロットに切り替えた後に、依然としてＣＳＧ状況が解決されない場合、ＰＬＭＮエンティティは、次いで、順列の異なるシーケンスと後続のスロット割当ておよび予約とを生成するために、最後の手段として、異なるグループＩＤを選択することを可能にされる。
【００６７】
[0074]図９は、本開示の一態様を実装するために実行される例示的なブロックを示す機能ブロック図である。ブロック９００において、送信機が、同じ周波数上で２つまたはそれ以上のＲＡＮによって共有される複数の共通送信スロットのための送信フレームの複数の送信スロット割当ての現在の順列を決定する。ブロック９０１において、送信機は、送信機に関連するインデックスに従って現在の順列において送信スロット割当てのうちの割り当てられた送信スロットを選択する。ブロック９０２において、送信機は、割り当てられた送信スロット上の失敗した送信の数を検出する。送信機が、これらのＣＳＧ問題および失敗したＣＣＡ試みを経験し続ける場合、それは、複数のＰＬＭＮエンティティが同じスロットに割り当てられた衝突が起こっていることを示唆する。ブロック９０３において、送信機は、失敗した送信の数が所定のしきい値を超えたことに応答して、共通送信スロットとは別個の予約済み送信スロットを再選択する。予約済みスロットは、衝突を緩和するために、ＣＳＧ問題を軽減するか、または送信スロットの別個の割振りを与え得る。送信機が、依然としてそのようなＣＳＧ問題または失敗した送信を経験し続ける場合、送信機は、順列の新しいシーケンスを決定する能力を与える新しいグループＩＤを再選択することを可能にされ得る。
【００６８】
[0075]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６９】
[0076]図７〜図９の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００７０】
[0077]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実行され得ることを容易に認識されよう。
【００７１】
[0078]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７２】
[0079]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００７３】
[0080]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００７４】
[0081]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００７５】
[0082]本開示についての以上の説明は、いかなる当業者も本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信の方法であって、
送信機が、同じ周波数上で２つまたはそれ以上の無線アクセスネットワーク（ＲＡＮ）によって共有される複数の送信スロットのための送信フレームの複数の送信スロット割当ての現在の順列を決定することと、
前記送信機が、前記送信機に関連するインデックスに従って前記現在の順列において前記複数の送信スロット割当てのうちの割り当てられた送信スロットを選択することと、
前記送信機が、前記割り当てられた送信スロット上で送信を開始することと
を備える、ワイヤレス通信の方法。
［Ｃ２］
送信を開始することは、
前記割り当てられた送信スロット上でクリアチャネルアセスメント（ＣＣＡ）を実行することと、ここにおいて、前記同じ周波数が無認可周波数である、
前記ＣＣＡがクリアとして前記送信機によって検出されたことに応答して、チャネル使用ビーコン信号（ＣＵＢＳ）を送信することと
を含む、Ｃ１に記載の方法。
［Ｃ３］
前記現在の順列を前記決定することは、
前記送信機が、複数の順列のシーケンスを決定することと、ここにおいて、前記複数の順列が前記複数の送信スロットの一意の割当て組合せに基づき、ここにおいて、前記複数の順列の前記シーケンスが、ランダムまたは擬似ランダムのいずれかで決定される、
前記送信機が、前記複数の順列の前記シーケンスから前記送信フレームのための前記現在の順列を選択することと
を含む、Ｃ１に記載の方法。
［Ｃ４］
次の送信フレームのための次の順列を決定することと、ここにおいて、前記次の順列が前記複数の順列の前記シーケンスから選択される、
前記送信機に関連する前記インデックスに従って前記次の順列において前記複数の送信スロット割当てのうちの次の割り当てられた送信スロットを選択することと、
前記次の割り当てられた送信スロット上で追加の送信を開始することと
をさらに含む、Ｃ３に記載の方法。
［Ｃ５］
前記複数の順列の前記シーケンスがホッピング関数を含み、ここにおいて、前記ホッピング関数は、前記シーケンス中の１つまたは複数の順列と、その後に続く、１つまたは複数の対応する後続の順列が前記１つまたは複数の順列に対する時間反転された複数の送信スロット割当てを含む前記１つまたは複数の対応する後続の順列とを与える、Ｃ３に記載の方法。
［Ｃ６］
前記ホッピング関数は、
前記１つまたは複数の順列のうちの前記第１の順列と、隣接してその後に続く前記第１の順列に対応する前記１つまたは複数の対応する後続の順列のうちの第１の時間反転された順列と、前記第１の時間反転された順列は、前記１つまたは複数の順列のうちの次の順列が隣接してその後に続き、前記次の順列に対応する前記１つまたは複数の対応する後続の順列のうちの次の時間反転された順列が隣接してその後に続く、
を含むように前記シーケンスを与える、Ｃ５に記載の方法。
［Ｃ７］
前記ホッピング関数は、
前記１つまたは複数の順列のうちの複数の隣接する第１の順列、前記複数の隣接する第１の順列のうちの最後は、前記第１の順列に対応する前記１つまたは複数の対応する後続の順列のうちの複数の隣接する時間反転された順列が隣接してその後に続き、ここにおいて、前記シーケンスは、前記複数の隣接する第１の順列と、隣接してその後に続く前記複数の隣接する時間反転された順列とで繰り返す、
を含むように前記シーケンスを与える、Ｃ５に記載の方法。
［Ｃ８］
前記ホッピング関数は、
前記１つまたは複数の順列のうちの第１の順列の複数の隣接するペアと、隣接してその後に続く前記第１の順列に対応する前記１つまたは複数の対応する後続の順列のうちの第１の時間反転された順列と、前記複数の隣接するペアのうちの最後は、前記１つまたは複数の順列のうちの次の順列の次の複数の隣接するペアが隣接してその後に続き、前記次の順列に対応する前記１つまたは複数の対応する後続の順列のうちの次の時間反転された順列が隣接してその後に続く、ここにおいて、前記シーケンスは、前記複数の隣接するペアと、隣接してその後に続く前記次の複数の隣接するペアとで繰り返す、
を含むように前記シーケンスを与える、Ｃ５に記載の方法。
［Ｃ９］
前記現在の順列を前記決定することは、
前記送信機が、前記複数の送信スロットの一意の割当て組合せに基づいて第１の順列を決定することと、
複数の順列のシーケンスを生成することと、ここにおいて、前記複数の順列が前記第１の順列と１つまたは複数の追加の順列とを含み、ここにおいて、前記１つまたは複数の追加の順列の各々が前記複数の順列中の前の順列から同じ量だけサイクリックシフトされる、
前記送信機が、前記複数の順列の前記シーケンスから前記送信フレームのための前記現在の順列を選択することと
を含む、Ｃ１に記載の方法。
［Ｃ１０］
送信機が、同じ周波数上で２つまたはそれ以上の無線アクセスネットワーク（ＲＡＮ）によって共有される複数の共通送信スロットのための送信フレームの複数の送信スロット割当ての現在の順列を決定することと、
前記送信機が、前記送信機に関連するインデックスに従って前記現在の順列において前記複数の送信スロット割当てのうちの割り当てられた送信スロットを選択することと、
前記送信機が、前記割り当てられた送信スロット上の失敗した送信の数を検出することと、
失敗した送信の前記数が所定のしきい値を超えたことに応答して、前記送信機が、予約済み送信スロットを再選択することと、ここにおいて、前記予約済み送信スロットが前記複数の共通送信スロットとは別個である、
を備える、ワイヤレス通信の方法。
［Ｃ１１］
前記送信機が、前記再選択することの後に前記予約済み送信スロット上の失敗した送信の次の数を検出することと、
前記送信機が、失敗した送信の前記次の数が別の所定のしきい値を超えたことに応答して新しい送信機グループ識別子を選択することと、
前記送信機が、複数の順列のシーケンスから新しい現在の順列を決定することと、ここにおいて、前記新しい現在の順列が前記新しい送信機グループ識別子に基づいて決定される、
をさらに含む、Ｃ１０に記載の方法。
［Ｃ１２］
プログラムコードを記録したコンピュータ可読媒体であって、前記プログラムコードは、
送信機が、同じ周波数上で２つまたはそれ以上の無線アクセスネットワーク（ＲＡＮ）によって共有される複数の送信スロットのための送信フレームの複数の送信スロット割当ての現在の順列を決定することをコンピュータに行わせるためのプログラムコードと、
前記送信機が、前記送信機に関連するインデックスに従って前記現在の順列において前記複数の送信スロット割当てのうちの割り当てられた送信スロットを選択することを前記コンピュータに行わせるためのプログラムコードと、
前記送信機が、前記割り当てられた送信スロット上で送信を開始することを前記コンピュータに行わせるためのプログラムコードと
を備える、コンピュータ可読媒体。
［Ｃ１３］
送信を開始することを前記コンピュータに行わせるためのプログラムコードは、
前記割り当てられた送信スロット上でクリアチャネルアセスメント（ＣＣＡ）を実行することと、ここにおいて、前記同じ周波数が無認可周波数である、
前記ＣＣＡがクリアとして前記送信機によって検出されたことに応答して、チャネル使用ビーコン信号（ＣＵＢＳ）を送信することと
を前記コンピュータに行わせるためのプログラムコードを含む、Ｃ１２に記載のコンピュータ可読媒体。
［Ｃ１４］
前記現在の順列を決定することを前記コンピュータに行わせるための前記プログラムコードは、
前記送信機が、複数の順列のシーケンスを決定することと、ここにおいて、前記複数の順列が前記複数の送信スロットの一意の割当て組合せに基づき、ここにおいて、前記複数の順列の前記シーケンスが、ランダムまたは擬似ランダムのいずれかで決定される、
前記送信機が、前記複数の順列の前記シーケンスから前記送信フレームのための前記現在の順列を選択することと
を前記コンピュータに行わせるためのプログラムコードを含む、Ｃ１２に記載のコンピュータ可読媒体。
［Ｃ１５］
次の送信フレームのための次の順列を決定することと、ここにおいて、前記次の順列が前記複数の順列の前記シーケンスから選択される、
前記送信機に関連する前記インデックスに従って前記次の順列において前記複数の送信スロット割当てのうちの次の割り当てられた送信スロットを選択することと、
前記次の割り当てられた送信スロット上で追加の送信を開始することと
を前記コンピュータに行わせるためのプログラムコードをさらに含む、Ｃ１４に記載のコンピュータ可読媒体。
［Ｃ１６］
前記複数の順列の前記シーケンスがホッピング関数を含み、ここにおいて、前記ホッピング関数は、前記シーケンス中の１つまたは複数の順列と、その後に続く、１つまたは複数の対応する後続の順列が前記１つまたは複数の順列に対する時間反転された複数の送信スロット割当てを含む前記１つまたは複数の対応する後続の順列とを与える、Ｃ１４に記載のコンピュータ可読媒体。
［Ｃ１７］
前記ホッピング関数は、
前記１つまたは複数の順列のうちの前記第１の順列と、隣接してその後に続く前記第１の順列に対応する前記１つまたは複数の対応する後続の順列のうちの第１の時間反転された順列と、前記第１の時間反転された順列は、前記１つまたは複数の順列のうちの次の順列が隣接してその後に続き、前記次の順列に対応する前記１つまたは複数の対応する後続の順列のうちの次の時間反転された順列が隣接してその後に続く、
を含むように前記シーケンスを与える、Ｃ１６に記載のコンピュータ可読媒体。
［Ｃ１８］
前記ホッピング関数は、
前記１つまたは複数の順列のうちの複数の隣接する第１の順列、前記複数の隣接する第１の順列のうちの最後は、前記第１の順列に対応する前記１つまたは複数の対応する後続の順列のうちの複数の隣接する時間反転された順列が隣接してその後に続き、ここにおいて、前記シーケンスは、前記複数の隣接する第１の順列と、隣接してその後に続く前記複数の隣接する時間反転された順列とで繰り返す、
を含むように前記シーケンスを与える、Ｃ１６に記載のコンピュータ可読媒体。
［Ｃ１９］
前記ホッピング関数は、
前記１つまたは複数の順列のうちの第１の順列の複数の隣接するペアと、隣接してその後に続く前記第１の順列に対応する前記１つまたは複数の対応する後続の順列のうちの第１の時間反転された順列と、前記複数の隣接するペアのうちの最後は、前記１つまたは複数の順列のうちの次の順列の次の複数の隣接するペアが隣接してその後に続き、前記次の順列に対応する前記１つまたは複数の対応する後続の順列のうちの次の時間反転された順列が隣接してその後に続く、ここにおいて、前記シーケンスは、前記複数の隣接するペアと、隣接してその後に続く前記次の複数の隣接するペアとで繰り返す、
を含むように前記シーケンスを与える、Ｃ１６に記載のコンピュータ可読媒体。
［Ｃ２０］
送信機が、同じ周波数上で２つまたはそれ以上の無線アクセスネットワーク（ＲＡＮ）によって共有される複数の送信スロットのための送信フレームの複数の送信スロット割当ての現在の順列を決定するための手段と、
前記送信機が、前記送信機に関連するインデックスに従って前記現在の順列において前記複数の送信スロット割当てのうちの割り当てられた送信スロットを選択するための手段と、
前記送信機が、前記割り当てられた送信スロット上で送信を開始するための手段と
を備える、ワイヤレス通信のために構成された装置。
［Ｃ２１］
送信を開始するための手段は、
前記割り当てられた送信スロット上でクリアチャネルアセスメント（ＣＣＡ）を実行するための手段と、ここにおいて、前記同じ周波数が無認可周波数である、
前記ＣＣＡがクリアとして前記送信機によって検出されたことに応答して、チャネル使用ビーコン信号（ＣＵＢＳ）を送信するための手段と
を含む、Ｃ２０に記載の装置。
［Ｃ２２］
前記現在の順列を決定するための前記手段は、
前記送信機が、複数の順列のシーケンスを決定するための手段と、ここにおいて、前記複数の順列が前記複数の送信スロットの一意の割当て組合せに基づき、ここにおいて、前記複数の順列の前記シーケンスが、ランダムまたは擬似ランダムのいずれかで決定される、
前記送信機が、前記複数の順列の前記シーケンスから前記送信フレームのための前記現在の順列を選択するための手段と
を含む、Ｃ２０に記載の装置。
［Ｃ２３］
選択するための前記手段が、前記送信機に関連するグループ識別子に少なくとも部分的に基づく、Ｃ２２に記載の装置。
［Ｃ２４］
次の送信フレームのための次の順列を決定するための手段と、ここにおいて、前記次の順列が前記複数の順列の前記シーケンスから選択される、
前記送信機に関連する前記インデックスに従って前記次の順列において前記複数の送信スロット割当てのうちの次の割り当てられた送信スロットを選択するための手段と、
前記次の割り当てられた送信スロット上で追加の送信を開始するための手段と
をさらに含む、Ｃ２２に記載の装置。
［Ｃ２５］
前記複数の順列の前記シーケンスがホッピング関数を含み、ここにおいて、前記ホッピング関数は、前記シーケンス中の１つまたは複数の順列と、その後に続く、１つまたは複数の対応する後続の順列が前記１つまたは複数の順列に対する時間反転された複数の送信スロット割当てを含む前記１つまたは複数の対応する後続の順列とを与える、Ｃ２２に記載の装置。
［Ｃ２６］
前記ホッピング関数は、
前記１つまたは複数の順列のうちの前記第１の順列と、隣接してその後に続く前記第１の順列に対応する前記１つまたは複数の対応する後続の順列のうちの第１の時間反転された順列と、前記第１の時間反転された順列は、前記１つまたは複数の順列のうちの次の順列が隣接してその後に続き、前記次の順列に対応する前記１つまたは複数の対応する後続の順列のうちの次の時間反転された順列が隣接してその後に続く、
を含むように前記シーケンスを与える、Ｃ２５に記載の装置。
［Ｃ２７］
前記ホッピング関数は、
前記１つまたは複数の順列のうちの複数の隣接する第１の順列、前記複数の隣接する第１の順列のうちの最後は、前記第１の順列に対応する前記１つまたは複数の対応する後続の順列のうちの複数の隣接する時間反転された順列が隣接してその後に続き、ここにおいて、前記シーケンスは、前記複数の隣接する第１の順列と、隣接してその後に続く前記複数の隣接する時間反転された順列とで繰り返す、
を含むように前記シーケンスを与える、Ｃ２５に記載の装置。
［Ｃ２８］
前記ホッピング関数は、
前記１つまたは複数の順列のうちの第１の順列の複数の隣接するペアと、隣接してその後に続く前記第１の順列に対応する前記１つまたは複数の対応する後続の順列のうちの第１の時間反転された順列と、前記複数の隣接するペアのうちの最後は、前記１つまたは複数の順列のうちの次の順列の次の複数の隣接するペアが隣接してその後に続き、前記次の順列に対応する前記１つまたは複数の対応する後続の順列のうちの次の時間反転された順列が隣接してその後に続く、ここにおいて、前記シーケンスは、前記複数の隣接するペアと、隣接してその後に続く前記次の複数の隣接するペアとで繰り返す、
を含むように前記シーケンスを与える、Ｃ２５に記載の装置。
［Ｃ２９］
前記複数の隣接するペアに関連するフレームの第１のセットのための第１のチャネル局情報（ＣＳＩ）フィードバックを受信機に要求するための手段と、
前記次の複数の隣接するペアに関連するフレームの次のセットのための次のＣＳＩフィードバックを前記受信機に要求するための手段と
をさらに備える、Ｃ２８に記載の装置。
［Ｃ３０］
前記現在の順列を決定するための前記手段は、
前記送信機が、前記複数の送信スロットの一意の割当て組合せに基づいて第１の順列を決定するための手段と、
複数の順列のシーケンスを生成するための手段と、ここにおいて、前記複数の順列が前記第１の順列と１つまたは複数の追加の順列とを含み、ここにおいて、前記１つまたは複数の追加の順列の各々が前記複数の順列中の前の順列から同じ量だけサイクリックシフトされる、
前記送信機が、前記複数の順列の前記シーケンスから前記送信フレームのための前記現在の順列を選択するための手段と
を含む、Ｃ２０に記載の装置。
【図１】
0006479784.tif 000002
【図２Ａ】
0006479784.tif 000003
【図２Ｂ】
0006479784.tif 000004
【図３】
0006479784.tif 000005
【図４】
0006479784.tif 000006
【図５】
0006479784.tif 000007
【図６】
0006479784.tif 000008
【図７】
0006479784.tif 000009
【図８】
0006479784.tif 000010
【図９】
0006479784.tif 000011